【手続補正書】
【提出日】平成26年12月10日(2014.12.10)
【手続補正１】
【補正対象書類名】特許請求の範囲
【補正対象項目名】全文
【補正方法】変更
【補正の内容】
【特許請求の範囲】
【請求項１】
画像形成装置と、前記画像形成装置の動作を切り替える動作設定情報を管理する管理装置とを備える情報処理システムであって、
前記管理装置は、
前記画像形成装置の動作設定情報を保持する保持手段と、
リプレイスされた第１の画像形成装置から、該第１の画像形成装置の動作設定情報のリプレイスを求めるリプレイス要求を、ネットワークを介して受け付ける要求受け付け手段と、
前記リプレイス要求が受け付けられた場合に、該リプレイス要求に対応するリプレイスに伴って前記動作設定情報を更新することが必要な第２の画像形成装置を検索する検索手段と、
前記保持手段が保持する、前記検索された第２の画像形成装置の動作設定情報を更新する更新手段を備え、
前記画像形成装置は、該画像形成装置がリプレイスされる場合に、該画像形成装置の動作設定情報のリプレイスを求めるリプレイス要求を、前記ネットワークを介して前記管理装置に送信するリプレイス要求手段を備える
ことを特徴とする情報処理システム。
【請求項２】
前記管理装置は、さらに、
前記第１の画像形成装置が有する機能のうち、前記更新手段が前記第２の画像形成装置の動作設定情報の更新を完了するまで該第１の画像形成装置に停止させる機能を選択する選択手段と、
前記第１の画像形成装置に対して、前記選択した機能の停止を、前記ネットワークを介して指示する停止指示手段と、
前記更新手段が前記第２の画像形成装置の動作設定情報の更新を完了した場合に、前記停止指示手段の指示に従って前記機能を停止した前記第１の画像形成装置に対して、前記ネットワークを介して該機能の再開を指示する再開指示手段を備え、
前記画像形成装置は、さらに、
前記管理装置が備える前記停止指示手段からの指示に従って、前記機能を停止する停止手段と、
前記管理装置が備える前記再開指示手段からの指示に従って、前記機能を再開する再開手段とを備える
ことを特徴とする請求項１に記載の情報処理システム。
【請求項３】
前記管理装置が備える前記保持手段が保持する動作設定情報が、該動作設定情報のバージョンを示すバージョン情報を有しており、
第３の画像形成装置が、前記保持手段が保持する前記第２の画像形成装置の動作設定情報を参照し、該参照した動作設定情報に応じた情報であって、該動作設定情報のバージョン情報を含む送信情報を生成し、生成した送信情報を前記ネットワークを介して前記第１の画像形成装置に対して送信し、
前記第１の画像形成装置は、
前記第３の画像形成装置から前記送信情報を受信する受信手段と、
前記管理装置に対して、前記受信された送信情報が含む前記第２の画像形成装置の動作設定情報のバージョン情報と、前記保持手段が保持する前記第２の画像形成装置の動作設定情報のバージョン情報との比較処理の実行を要求する比較要求手段と、
前記管理装置から前記比較処理の実行結果を受信し、受信した前記比較処理の実行結果が、前記送信情報が含む前記第２の画像形成装置の動作設定情報のバージョン情報が前記保持手段が保持する前記第２の画像形成装置の動作設定情報のバージョン情報と一致することを示す場合に、前記送信情報が最新の動作設定情報に基づいて生成されたと判断する判断手段とを備える
ことを特徴とする請求項１または請求項２に記載の情報処理システム。
【請求項４】
前記管理装置が備える前記要求受け付け手段が受け付けるリプレイス要求が、リプレイス後の前記第１の画像形成装置のＭＡＣアドレスを含んでおり、
前記検索手段は、前記保持手段が保持する動作設定情報のうち、前記ＭＡＣアドレスを登録しているＭＡＣアドレスフィルタが設定されている動作設定情報に対応する画像形成装置を前記第２の画像形成装置とする
ことを特徴とする請求項１乃至３のいずれか１項に記載の情報処理システム。
【請求項５】
前記検索手段は、前記保持手段が保持する動作設定情報のうち、前記受け付け手段が受け付けた前記リプレイス要求の要求元である前記第１の画像形成装置を情報の送信先として登録しているネットワークアドレス帳を含む動作設定情報に対応する画像形成装置を前記第２の画像形成装置とする
ことを特徴とする請求項１乃至３のいずれか１項に記載の情報処理システム。
【請求項６】
画像形成装置の動作を切り替える動作設定情報を管理する管理装置であって、
前記画像形成装置の動作設定情報を保持する保持手段と、
リプレイスされた第１の画像形成装置から、該第１の画像形成装置の動作設定情報のリプレイスを求めるリプレイス要求を、ネットワークを介して受け付ける要求受け付け手段と、
前記リプレイス要求が受け付けられた場合に、該リプレイス要求に対応するリプレイスに伴って前記動作設定情報を更新することが必要な第２の画像形成装置を検索する検索手段と、
前記保持手段が保持する、前記検索された第２の画像形成装置の動作設定情報を更新する更新手段を備え、
前記画像形成装置がリプレイスされる場合に、前記画像形成装置によって、該画像形成装置の動作設定情報のリプレイスを求めるリプレイス要求が、前記ネットワークを介して前記管理装置に送信される
ことを特徴とする管理装置。
【請求項７】
前記管理装置は、さらに、
前記第１の画像形成装置が有する機能のうち、前記更新手段が前記第２の画像形成装置の動作設定情報の更新を完了するまで該第１の画像形成装置に停止させる機能を選択する選択手段と、
前記第１の画像形成装置に対して、前記選択した機能の停止を、前記ネットワークを介して指示する停止指示手段と、
前記更新手段が前記第２の画像形成装置の動作設定情報の更新を完了した場合に、前記停止指示手段の指示に従って前記機能を停止した前記第１の画像形成装置に対して、前記ネットワークを介して該機能の再開を指示する再開指示手段を備え、
前記第１の画像形成装置において、前記管理装置が備える前記停止指示手段からの指示に従って、前記機能が停止され、前記管理装置が備える前記再開指示手段からの指示に従って、前記機能が再開される
ことを特徴とする請求項６に記載の管理装置。
【請求項８】
前記管理装置が備える前記要求受け付け手段が受け付けるリプレイス要求が、リプレイス後の前記第１の画像形成装置のＭＡＣアドレスを含んでおり、
前記検索手段は、前記保持手段が保持する動作設定情報のうち、前記ＭＡＣアドレスを登録しているＭＡＣアドレスフィルタが設定されている動作設定情報に対応する画像形成装置を前記第２の画像形成装置とする
ことを特徴とする請求項６または請求項７に記載の管理装置。
【請求項９】
前記検索手段は、前記保持手段が保持する動作設定情報のうち、前記受け付け手段が受け付けた前記リプレイス要求の要求元である前記第１の画像形成装置を情報の送信先として登録しているネットワークアドレス帳を含む動作設定情報に対応する画像形成装置を前記第２の画像形成装置とする
ことを特徴とする請求項６または請求項７に記載の管理装置。
【請求項１０】
画像形成装置と、前記画像形成装置の動作を切り替える動作設定情報を管理する管理装置とを備える情報処理システムにおける管理方法であって、
第１の画像形成装置が、前記第１の画像形成装置がリプレイスされる場合に、前記第１の画像形成装置の動作設定情報のリプレイスを求めるリプレイス要求を、前記ネットワークを介して前記管理装置に送信する工程と、
前記管理装置が、前記第１の画像形成装置から前記リプレイス要求を受け付ける工程と、
前記管理装置が、前記受け付けたリプレイス要求に対応するリプレイスに伴って、前記管理装置が備える保持手段が保持する前記動作設定情報を更新することが必要な第２の画像形成装置を検索する工程と、
前記管理装置が、前記検索された第２の画像形成装置の動作設定情報を更新する工程とを有する
ことを特徴とする管理方法。
【請求項１１】
請求項１０に記載の管理方法をコンピュータに実行させることを特徴とするコンピュータプログラム。
【手続補正２】
【補正対象書類名】明細書
【補正対象項目名】発明の名称
【補正方法】変更
【補正の内容】
【発明の名称】情報処理システム、管理装置、管理方法およびコンピュータプログラム